(57)【要約】人工歯の内部にエネルギーを吸収したままのバネと熱可塑性緩衝材とが強靱な人工歯と安定した咬合関係を作り出す人工歯である。人工歯を形成する断面が、基本的には結合部（１３００）と咬合面部（１３０１）との間に、熱可塑性緩衝材（１３０３）を設けて、前記結合部（１３００）に少なくとも一つ以上のバネ（１３０４）の末端（１３０２）が固着して、前記咬合面部（１３０１）に前記バネ（１３０４）の上端（１３０５）が固着する人工歯である。咬合調節時、熱を加えて熱可塑性緩衝材（１３０３）を軟化させる、バネ（１３０４）は歪みを吸収したまま格納されているため、歪みを開放するために、咬合面部（１３０１）を挙上する。この時、患者は中心咬合位の位置で咬合する時、対合歯の咬合圧により安定した位置に任意の人工歯は安定した位置を確保する。その安定した位置を保ち続けて人工歯が放熱した時、人工歯は硬質な材質に変化して、人工歯を形作る人工歯である。
2001047337.tif 000002
【特許請求の範囲】
【請求項１】
前歯の人工歯を形成する断面が、基本的には歯冠部（１）と結合部（３）との間に、熱可塑性緩衝材（２）とを設けたことを特徴とする前歯の人工歯。
【請求項２】
前歯の人工歯を形成する断面が、基本的には歯冠部（１０）と結合部（１１）との間に、熱可塑性緩衝材（１２）とジョイント部（１３）とを設けたことを特徴とする前歯の人工歯。
【請求項３】
前歯の人工歯を形成する断面が、基本的には歯冠部（１０）と結合部（１１）との間に、ジョイント部（１３）と、加熱すると軟化し、膨張して可塑性を有し、前記歯冠部（１０）が対合歯との安定した咬合関係を得た場所で歪みを吸収したまま放熱して硬化する熱可塑性緩衝材（１２）とを設けたことを特徴とする前歯の人工歯。
【請求項４】
前歯の人工歯を形成する断面が、基本的には歯冠部（５０）と結合部（５１）との間に、加熱することにより軟化と膨張を可能として可塑性を有し、前記歯冠部（５０）が対合歯との安定した咬合関係を得た場所で歪みを吸収したまま冷却し放熱した時硬化する熱可塑性緩衝材（５２）と歯冠部（５０）の上下移動，水平移動，斜方向移動，軸回転移動を含む少なくとも一つ以上の機能を有する調節機構部（５３）とを設けたことを特徴とする前歯の人工歯。
【請求項５】
前歯の人工歯を形成する断面が、基本的には歯冠部（１００）と結合部（１０１）との間に、加熱することにより軟化と膨張を可能として、対合歯との安定した咬合関係を得た場所で歪みを吸収したまま口腔内温度で硬化する熱可塑性緩衝材（１０２）と歯冠部（１００）の上下移動，水平移動，斜方向移動，軸回転移動を含む少なくとも一つ以上の機能を有する調節機構部（１０３）と、前記結合部（１０１）と脱着可能なジョイント部（１０４）とを設けたことを特徴とする前歯の人工歯。
【請求項６】
前歯の人工歯の熱可塑性緩衝材が体温未満の低温の環境で軟化もしくは軟化と膨張を可能とすることを特徴とする、請求の範囲第１項，第２項，第３項，第４項及び第５項記載の前歯の人工歯。
【請求項７】
臼歯の人工歯を形成する断面が、基本的には咬合面（１５０）と結合部（１５１）との間に熱可塑性緩衝材（１５２）とを設けたことを特徴とする臼歯の人工歯。
【請求項８】
臼歯の人工歯を形成する断面が、基本的には咬合面（２００）と結合部（２０１）との間に熱可塑性緩衝材（２０２）とジョイント部（２０３）とを設けたことを特徴とする臼歯の人工歯。
【請求項９】
臼歯の人工歯を形成する断面が、基本的には咬合面（２００）と結合部（２０１）との間に、前記結合部（２０１）と脱着可能なジョイント部（２０３）と加熱することにより軟化もしくは軟化と膨張を可能として、対合歯との安定した咬合関係を得た場所で歪みを吸収したまま放熱し、体温で硬化する熱可塑性緩衝材（２０２）とを設けたことを特徴とする臼歯の人工歯。
【請求項１０】
臼歯の人工歯を形成する断面が、基本的には咬合面部（２５０）と結合部（２５１）との間に、加熱することにより軟化もしくは軟化と膨張を可能として、前記咬合面部（２５０）が対合歯との安定した咬合関係を得た場所で歪みを吸収したまま放熱し体温で硬化する熱可塑性緩衝材（２５２）と、歯冠部（２５０）の上下移動，水平移動，斜方向移動，軸回転移動を含む少なくとも一つ以上の機能を有する調節機構部（２５３）とを設けたことを特徴とする臼歯の人工歯。
【請求項１１】
臼歯の人工歯を形成する断面が、基本的には咬合面部（３００）と結合部（３０１）との間に、加熱することにより軟化もしくは軟化と膨張を可能として、対合歯との安定した咬合関係を得た場所で歪みを吸収したまま体温で硬化する熱可塑性緩衝材（３０２）と、咬合面部（３００）の上下移動，水平移動，斜方向移動，軸回転移動を含む少なくとも一つ以上の機能を有する調節機構部（３０３）と、前記結合部（３０１）と脱着可能なジョイント部とを設けたことを特徴とする臼歯の人工歯。
【請求項１２】
臼歯の人工歯の熱可塑性緩衝材がマイナス２０℃からプラス３５℃の任意の温度で可塑性を有し、体温で硬化することを特徴とする請求の範囲第７項，第８項，第９項，第１０項及び第１１項記載の臼歯の人工歯。
【請求項１３】
人工歯の結合部（３５１）に脱着可能な脱着式アジャスター本体（３５４）にアジャスターピラー（３５２）に連動するアジャスター調節リング（３５３）を設けたことを特徴とする咬合位置確保用の人工歯の制御装置。
【請求項１４】
少なくとも一歯以上の上顎対合歯（４００）に自在に着脱可能に密着する上顎ホルダー（４０１）と、少なくとも一歯以上の下顎対合歯（４０２）に自在に着脱可能に密着する下顎ホルダー（４０３）とが、上顎アジャスターピラー（４０４）と下顎アジャスターピラー（４０５）とに固着して、前記上顎アジャスターピラー（４０４）と前記下顎アジャスターピラー（４０５）とがアジャスター調節リング（４０６）を介して調節自在に連動する咬合位置確保用可撤式アジャスター。
【請求項１５】
前歯の人工歯（４５０）を形成する材質が体温超の熱エネルギーを吸収することにより硬質な材質が、軟質な材質に変化して咬合調節の時に、質量要素での弾性変形を可能にして咬合調節を終えた時、体温で歪みを吸収したまま硬質な材質に変化することを特徴とする前歯の人工歯。
【請求項１６】
前歯の人工歯（４５０）を形成する材質が光照射器からの光線を吸収することにより硬質な材質が任意の時間軟質な材質に変化して、咬合調節の時に、質量要素での弾性変形を可能にして咬合調節を終えた所で歪みを吸収したまま硬質な材質に変化することを特徴とする前歯の人工歯。
【請求項１７】
前歯の人工歯を形成する断面が、基本的には切端を含む舌面部（５００）が熱可塑性緩衝材により形成されて、唇面部（５０１）が陶歯もしくは、硬質レジンもしくはレジンで形成されたことを特徴とする前歯の人工歯。
【請求項１８】
前歯の人工歯を形成する断面が、基本的には切端を含む舌面部（５００）が光照射器からの光線を吸収することにより硬質な材質が任意の時間軟質な材質に変化して、咬合調節時に、質量要素での弾性変形を可能にして、咬合調節を終えた所で歪みを吸収したまま硬質な材質に変化して、唇面部（５０１）が陶歯もしくは硬質レジンもしくはレジンで形成されたことを特徴とする前歯の人工歯。
【請求項１９】
臼歯の人工歯を形成する材質が、熱エネルギーを吸収することにより硬質な材質が軟質な材質に変化して、咬合調節時に、対合歯の咬合圧などにより、臼歯の人工歯（５５０）全体が質量要素での弾性変形を可能にして、咬合調節を終えた場所で歪みを吸収したまま体温で硬質な材質に変化して臼歯の人工歯の咬合調節を行なうことを可能とすることを特徴とする臼歯の人工歯。
【請求項２０】
臼歯の人工歯（５５０）を形成する材質が、光照射器からの光エネルギーを吸収することにより硬質な材質が任意の時間軟質な材質に変化して、咬合調節時に、対合歯の咬合圧などにより、臼歯の人工歯（５５０）全体が質量要素での弾性変形を可能にして、咬合調節を終えた場所で歪みを吸収したまま硬質な材質に変化して臼歯の人工歯の咬合調節を行なうことを可能とすることを特徴とする臼歯の人工歯。
【請求項２１】
臼歯の人工歯を形成する断面が、基本的には結合部（６０１）と咬合面部（６００）からなり、前記咬合面部（６００）が熱エネルギーを吸収することにより硬質な材質が任意の時間軟質な材質に変化して、咬合調節時に、対合歯の咬合圧などにより咬合面部（６００）が咬合面形態を失うことなく、質量要素での弾性変形を可能にして、咬合調節を終えた場所で歪みを吸収したまま硬質な材質に変化して、臼歯の人工歯全体を形成することを特徴とする臼歯の人工歯。
【請求項２２】
臼歯の人工歯を形成する断面が、基本的には結合部（６０１）と咬合面部（６００）からなり、前記咬合面部（６００）が光照射器からの光エネルギーを吸収することにより硬質な材質が任意の時間軟質な材質に変化して、咬合調節時に、対合歯の咬合圧などにより咬合面部（６００）が咬合面形態を失うことなく、質量要素での弾性変形を可能にして、咬合調節を終えた場所で歪みを吸収したまま硬質な材質に変化して、臼歯の人工歯全体を形成することを特徴とする臼歯の人工歯。
【請求項２３】
前歯の人工歯を形成する断面が、基本的には結合部（６５１）と歯冠部（６５０）とからなり、前記結合部（６５１）の材質が熱エネルギーを吸収することにより硬質な材質が任意の時間軟質な材質に変化して、咬合調節時に、対合歯の咬合圧などにより歯冠部（６５０）が移動調節を終えた位置を確保した所で、結合部（６５１）が質量要素での弾性変形の歪みを吸収したまま硬質な材質に変化して、人工歯全体を形成することを特徴とする前歯の人工歯。
【請求項２４】
前歯の人工歯を形成する断面が、基本的には結合部（６５１）と歯冠部（６５０）とからなり、前記結合部（６５１）の材質が光照射器からの光エネルギーを吸収することにより硬質な材質が任意の時間軟質な材質に変化して、咬合調節時に、対合歯の咬合圧などにより歯冠部（６５０）が移動調節を終えた位置を確保した所で、結合部（６５１）が質量要素での弾性変形の歪みを吸収したまま硬質な材質に変化して、人工歯全体を形成することを特徴とする前歯の人工歯。
【請求項２５】
臼歯の人工歯を形成する断面が、基本的には咬合面部（７００）と結合部（７０１）からなる人工歯で、結合部（７０１）の材質が熱エネルギーを吸収することにより、硬質な材質が軟質な材質に変化して、咬合調節時に、対合歯の咬合圧などを受けることにより咬合面部（７００）が移動調節を終えた位置を確保した所で、結合部（７０１）が質量要素での弾性変形の歪みを吸収したまま軟質な材質が体温で硬質な材質に変化して、人工歯全体が硬質な材質に変化することを特徴とする臼歯の人工歯。
【請求項２６】
臼歯の人工歯を形成する断面が、基本的には、咬合面部（７００）と結合部（７０１）からなる人工歯で、結合部（７０１）の材質が熱エネルギーを吸収することにより硬質な材質が軟質な材質に変化して、咬合調節時に、対合歯の咬合圧などを受けることにより咬合面部（７００）が移動調節を終えた位置を確保した所で、結合部（７０１）が質量要素での弾性変形の歪みを吸収したまま軟質な材質が体温で硬質な材質に変化して、人工歯全体が硬質な材質に変化することを特徴とする臼歯の人工歯。
【請求項２７】
人工歯（７５０）を植立する義歯の歯槽部（７５１）の義歯用床用材料が熱エネルギーを吸収することにより、硬質な材質が弾性変形を可能とする軟質な材質に変化して、植立する人工歯が咬合調節を終えた場所に移動を終えた時、義歯用床用材料が質量要素での弾性変形して歪みを吸収したまま体温で硬化することを特徴とする咬合調節可能な義歯用床用材料。
【請求項２８】
義歯用床用材料が、光照射の光線を吸収することにより硬質な材質が弾性変形を可能とする軟質な材質に変化して、植立する人工歯が咬合調節を終えた時、義歯用床用材料が質量要素での弾性変形して歪みを吸収したまま硬化することを特徴とする請求項２１記載の咬合調節可能な義歯用床用材料。
【請求項２９】
少なくとも一歯以上の義歯用人工歯（８００）と義歯床の人工歯の植立する歯槽部（８０１）に熱エネルギーを送るために、ヒーター部（８０２）と電源８０３）とスイッチ（８０４）とからなる咬合調節用熱エネルギー伝達装置。
【請求項３０】
少なくとも一歯以上の義歯用人工歯と義歯床の人工歯の植立する歯槽部に光照射エネルギーを送るために、光源と電源とスイッチとからなる咬合調節用光エネルギー照射装置。
【請求項３１】
前歯人工歯（８５０）の全部を形成する材質が歯冠色を呈して、高電導体の高分子材料もしくは、金属粉，カーボン繊維を含んだ合成樹脂，プラスチック，複合材料が、通電した時発熱して、熱可塑性の性質を持ち、咬合圧などにより咬合調節を終えた所で伸縮自在に弾性変形して歪みを吸収したまま放熱し冷却した時に軟質な材質が硬質な材質に変化することを特徴とする前歯の人工歯。
【請求項３２】
臼歯人工歯（９００）の全部を形成する材質が歯冠色を呈して、高電導体の高分子材料もしくは、金属粉，カーボン繊維を含んだ合成樹脂，プラスチック，複合材料が、通電した時発熱して、熱可塑性の性質を持ち、咬合圧などにより咬合調節を終えた所で伸縮自在に弾性変形して歪みを吸収したまま放熱し冷却した時に軟質な材質が硬質な材質に変化することを特徴とする臼歯の人工歯。
【請求項３３】
前歯の人工歯を形成する断面が、基本的には歯冠部（９５０）と結合部（９５１）からなり、前記歯冠部（９５０）が歯冠色を呈するレジンもしくは硬質レジンもしくは陶歯からなり、前記結合部（９５１）を形成する材質が歯冠色を呈して、高電導体の高分子材料もしくは、金属粉，カーボン繊維を含んだ合成樹脂，プラスチック，複合材料が、通電した時発熱して、熱可塑性の性質を持ち、咬合圧などにより咬合調節を終えた所で伸縮自在に弾性変形して歪みを吸収したまま放熱し冷却した時に軟質な材質が硬質な材質に変化することを特徴とする前歯の人工歯。
【請求項３４】
臼歯の人工歯を形成する断面が、基本的には咬合面部（１０００）と結合部（１００１）とからなり、前記咬合面部（１０００）がレジン，硬質レジン，陶歯もしくは金属からなり、前記結合部（１００１）を形成する材質が歯冠色を呈して、高電導体の高分子材料もしくは、金属粉，カーボン繊維を含んだ合成樹脂，プラスチック，複合材料が、通電した時発熱して、熱可塑性の性質を持ち、咬合圧などにより咬合調節を終えた所で伸縮自在に弾性変形して歪みを吸収したまま放熱し冷却した時に軟質な材質が硬質な材質に変化することを特徴とする臼歯の人工歯。
【請求項３５】
前歯の人工歯を形成する断面が、基本的には歯冠部（１０５１）と結合部（１０５０）との間に、高電導体の高分子材料もしくは、金属粉，カーボン繊維を含んだ合成樹脂，プラスチック，複合材料が、通電した時発熱して、熱可塑性の性質を持ち、咬合圧などにより咬合調節を終えた所で伸縮自在に弾性変形して歪みを吸収したまま放熱し冷却した時に軟質な材質が硬質な材質に変化する調節層（１０５２）とを設けたことを特徴とする前歯の人工歯。
【請求項３６】
前歯の人工歯を形成する断面が、基本的には咬合面部（１１００）と結合部（１１０１）との間に、高電導体の高分子材料もしくは、金属粉，カーボン繊維を含んだ合成樹脂，プラスチック，複合材料が、通電した時発熱して、熱可塑性の性質を持ち、咬合圧などにより咬合調節を終えた所で伸縮自在に弾性変形して歪みを吸収したまま放熱し冷却した時に軟質な材質が硬質な材質に変化する調節層（１１０２）とを設けたことを特徴とする臼歯の人工歯。
【請求項３７】
義歯の人工歯（１１５０），歯槽部（１１５１）に通電するために、電源（１１５４）とスイッチ（１１５３）と正の接触端子（１１５５）と負の接触端子（１１５２）とからなる咬合調節用通電装置。
【請求項３８】
歯冠色もしくは歯肉色の、即時重合レジンもしくは床用の重合レジンが、高電導体の高分子材料もしくは、金属粉，カーボン繊維を含んだ合成樹脂，プラスチック，複合材料が、通電した時発熱して、熱可塑性の性質を持ち、咬合圧などにより咬合調節を終えた所で伸縮自在に弾性変形して歪みを吸収したまま放熱し冷却した時に軟質な材質が硬質な材質に変化することを特徴とする歯科用の即時重合レジンと床用の重合レジン。
【請求項３９】
前歯の人工歯を形成する断面が、基本的には結合部（１２００）と歯冠部（１２０１）との間に、加熱した時質量要素での伸縮自在に弾性変形を可能にして放熱して冷却した時に歪みを吸収したまま硬化する熱可塑性緩衝材と、機械要素での伸縮自在な弾性変形とプラスの端子とマイナスの端子を歯冠外部に開口する電気伝導性を有する発熱体の性質を兼ね備えたバネ（１２０６）とからなる調節層（１２０２）とを設けたことを特徴とする前歯の人工歯。
【請求項４０】
バネ（１２０６）の性質が機械要素の伸縮自在な弾性変形のみとする請求の範囲第３９項記載の前歯の人工歯。
【請求項４１】
臼歯の人工歯を形成する断面が、基本的には結合部（１２５１）と咬合面部（１２５１）との間に加熱した時質量要素での伸縮自在に弾性変形を可能にして放熱して冷却した時、歪みを吸収したまま硬化する熱可塑性緩衝材（１２５３）と、機械要素での伸縮自在な弾性変形とプラスの端子（１２５５）とマイナスの端子（１２５６）を歯冠外部に開口する電気伝導性を有する発熱体の性質を兼ね備えたバネ（１２５４）とからなる調節層（１２５２）とを設けたことを特徴とする臼歯の人工歯。
【請求項４２】
バネ（１２５４）が機械要素での伸縮自在な弾性変形のみを特徴とする請求の範囲第４１項記載の臼歯の人工歯。
【請求項４３】
前歯の人工歯を形成する断面が、基本的には歯冠部と結合部との間に、質量要素での熱可塑性プラスチックもしくは熱可塑性合成樹脂もしくは熱可塑性複合材料もしくは熱可塑性ゴムもしくは高伝導体で通電時に発熱する熱可塑性高分子材料と、機械要素での少なくとも一つ以上の皿バネもしくはコイルバネもしくはショックアブソーバもしくは空気バネもしくは板バネもしくはタケノコバネもしくはトーションバーもしくは棒バネもしくは渦巻きバネもしくは形状記憶合金とからなる調節層とを設けたことを特徴とする前歯の人工歯。
【請求項４４】
臼歯の人工歯を形成する断面が、基本的には咬合面と結合部との間に、質量要素での熱可塑性プラスチックもしくは熱可塑性合成樹脂もしくは熱可塑性複合材料もしくは熱可塑性ゴムもしくは高伝導体で通電時に発熱する熱可塑性高分子材料と、機械要素での少なくとも一つ以上の皿バネもしくはコイルバネもしくはショックアブソーバもしくは空気バネもしくは板バネもしくはタケノコバネもしくはトーションバーもしくは棒バネもしくは渦巻きバネもしくは形状記憶合金とからなる調節層とを設けたことを特徴とする臼歯の人工歯。
【請求項４５】
臼歯の人工歯を形成する断面が、基本的には結合部（１３００）と咬合面部（１３０１）との間に、熱可塑性緩衝材（１３０３）と少なくとも一つ以上のバネ（１３０４）を設けて、前記バネ（１３０４）のバネ上端（１３０５）が前記咬合面部（１３０１）内面で固着して、バネ下端（１３０２）が前記結合部（１３００）内面で固着することを特徴とする臼歯の人工歯。
【請求項４６】
バネの種類が、皿バネ，コイルバネ，ショックアブソーバー，空気バネ，板バネ，竹の子バネ，トーションバー，棒バネ，渦巻きバネ，形状記憶合金の少なくとも一つ以上を使用していることを特徴とする、請求の範囲第４５項記載の臼歯の人工歯。
【請求項４７】
バネの材質が、金属材料もしくはプラスチックもしくは強化繊維プラスチックもしくはガラス繊維強化プラスチックもしくは炭素繊維強化プラスチック或いはゴムからなるバネを設けたことを特徴とする請求の範囲第４５項及び第４６項記載の臼歯の人工歯。
【請求項４８】
熱可塑性緩衝材が、プラス３７℃からプラス１２５℃の範囲内の任意の温度で軟化して可塑性を有し、放熱して体温で硬化する、熱可塑性緩衝材を設けたことを特徴とする請求の範囲第４５項，第４６項及び第４７項記載の臼歯の人工歯。
【請求項４９】
前歯の人工歯を形成する断面が、基本的には歯冠部（１３５０）と結合部（１３５１）との間に熱可塑性緩衝材（１３５２）を設けて、ガイドポール先端（１３５４）が前記歯冠部（１３５０）の内面で固着して、ガイドポール中央部（１３５３）が前記熱可塑性緩衝材（１３５２）と接し、ガイドポール基底部（１３５５）が咬合調節時、運動自在に前記結合部（１３５１）に保持されて、前記結合部（１３５１）に固着するバネ（１３５６）が歪みを吸収したまま前記ガイドポール基底部（１３５５）と接していることを特徴とする前歯の人工歯。
【請求項５０】
人工歯の熱可塑性緩衝材（１３５２）自体が通電されることにより発熱して熱可塑性に変化することを可能とする熱可塑性緩衝材（１３５２）を設けたことを特徴とする請求の範囲第４９項記載の人工歯。
【請求項５１】
前歯の人工歯を形成する断面が、基本的には歯冠部（１４００）と結合部（１４０１）との間に、熱可塑性緩衝材（１４０２）と少なくとも一つ以上のバネ内蔵ガイドポール（１４０３）を設けて、前記バネ内蔵ガイドポール（１４０３）のバネ内蔵ガイドポール基底部（１４０６）が前記結合部（１４０１）に固着して、前記バネ内蔵ガイドポール（１４０３）の可動部分のガイドポール先端部（１４０４）の一部が前記歯冠部（１４００）内に固着するバネ内蔵ガイドポール（１４０３）とを設けたことを特徴とする前歯の人工歯。
【請求項５２】
前歯の人工歯のバネ内蔵ガイドポール（１４０３）にストッパー（１４０９）を設けたバネがエネルギーを吸収したまま格納されて、咬合調節時、ストッパーを開放することにより初めてエネルギーを開放したり吸収したりして自在に弾性変形可能なことを特徴とするバネ内蔵ガイドポール（１４０３）を設けたことを特徴とする請求の範囲第５１項記載の人工歯。
【請求項５３】
前歯の人工歯のバネ内蔵ガイドポール（１４０３）のバネ（１４０７）の強弱調節が可能である請求の範囲第５１項及び第５２項記載の人工歯。
【請求項５４】
前歯の人工歯の熱可塑性緩衝材（１４０２）が、通電することにより発熱して、熱可塑性に変化することを特徴とする請求の範囲第５１項，５２項及び第５３項記載の前歯の人工歯。
【請求項５５】
前歯の人工歯を形成する断面が、基本的には歯冠部（１４５０）と結合部（１４５１）との間に、熱可塑性緩衝材（１４５３）を設けて、前記結合部（１４５１）の基底部に設けた昇降装置（１４５５）が、ガイドポール末端（１４５９）と回転自在に接し、ガイドポール本体（１４６０）の側面に角度調節用ボルト頭部（１４５８）が前記歯冠部（１４５０）辺縁に回転自在に保持されて、角度調節用ボルト本体（１４５４）が前記ガイドポール本体（１４６０）と調節自在に固定して、ガイドポール先端（１４５２）が前記歯冠部（１４５０）の内面で運動自在に接して、バネ（１４６１）が、ガイドポール本体（１４６４）を前記結合部（１４５１）内にある、前記昇降装置（１４５５）方向へと引っ張っていることを特徴とする前歯の人工歯。
【請求項５６】
義歯床歯槽部に接する面以外の人工歯の結合部が水平面で回転移動調節が可能である請求の範囲第５５項記載の前歯の人工歯。
【請求項５７】
臼歯の人工歯を形成する断面が、基本的には咬合面部（１５５０）と結合部（１５５１）との間に、熱可塑性緩衝材（１５５２）とを設けて、前記結合部（１５５１）に二本もしくは三本の昇降用ボルト（１５５７）を咬頭直下に植立して、前記昇降用ボルト（１５５７）に調節自在に昇降用ナット（１５５６）を設け、運動自在に前記咬合面部（１５５０）の咬頭直下と接し、前記咬合面部（１５５０）と前記結合部（１５５１）とを結合棒（１５５４）とバネ（１５５５）とを介し、咬合面部保持部（１５５３）と結合部保持部（１５５８）とを、バネのエネルギーにより常に引き寄せていることを特徴とする臼歯の人工歯。
【請求項５８】
人工歯の熱可塑性緩衝材の軟化を開始する軟化点の温度が３７℃から１２５℃の範囲であることを特徴とする請求の範囲第１項，第２項，第３項，第４項，第５項，第７項，第８項，第９項，第１０項，第１１項，第１７項，第１９項，第２１項，第２３項，第２５項，第２６項，第２７項，第３１項，第３２項，第３３項，第３４項，第３５項，第３６項，第３８項，第３９項，第４１項，第４２項，第４３項，第４４項，第４５項，第４８項，第４９項，第５０項，第５１項，第５２項，第５３項，第５４項，第５５項，第５６項，第５７項，第６６項，第６７項，第６８項，第６９項及び第７０項記載の人工歯。
【請求項５９】
人工歯の熱可塑性緩衝材の軟化を開始する軟化点の温度が６６℃から８０℃の範囲であることを特徴とする請求の範囲第１項，第２項，第３項，第４項，第５項，第７項，第８項，第９項，第１０項，第１１項，第１７項，第１９項，第２１項，第２３項，第２５項，第２６項，第２７項，第３１項，第３２項，第３３項，第３４項，第３５項，第３６項，第３８項，第３９項，第４１項，第４２項，第４３項，第４４項，第４５項，第４８項，第４９項，第５０項，第５１項，第５２項，第５３項，第５４項，第５５項，第５６項，第５７項，第６６項，第６７項，第６８項，第６９項及び第７０項記載の人工歯。
【請求項６０】
臼歯の人工歯を形成する断面が基本的には、咀嚼面である咬合面部と、義歯槽の歯槽部に固着する結合部との間に、加熱温度が３７℃から１２５℃の範囲内の任意の温度で軟化し、放熱もしくは冷却すると硬化する熱可塑性緩衝材を設けて、臼歯の人工歯を加熱して熱可塑性緩衝材が軟化して咬合面が挙上した時に咬合させ安定した咬合を得るために対合歯の咬合圧により咬合面部が力を受けた時軟化している熱可塑性緩衝材が可塑化して歪みを吸収して、咬合面部が安定な咬合関係を得た所で冷却し人工歯全体が硬質な材質に変化して安定した咬合関係を得る臼歯の人工歯。
【請求項６１】
臼歯の人工歯を形成する断面が基本的には、咀嚼面である咬合面部と、義歯床の歯槽部に固着する結合部との間に、加熱温度が３７℃から１２５℃の範囲内の任意の温度で軟化して、可塑性を有し、放熱すると硬化する熱可塑性緩衝材と、歪みを吸収したままの少なくとも一つ以上のバネとを設けて、前記バネの上端が前記咬合部内面と固着し、前記バネの下端が前記結合部内面と固着するバネとを設けたことを特徴とする臼歯の人工歯。
【請求項６２】
前歯の人工歯を形成する断面が基本的には、咀嚼面である歯冠部と、義歯槽の歯槽部に固着する結合部との間に、加熱温度が３７℃から１２５℃の範囲内の任意の温度で軟化し、冷却すると硬化する熱可塑性緩衝材を設けて、臼歯の人工歯を加熱して熱可塑性緩衝材が軟化して咬合面が挙上した時に咬合させ、安定した咬合を得るために対合歯の咬合圧により歯冠部が力を受けた時、軟化している熱可塑性緩衝材が可塑化して歪みを吸収して、歯冠部が安定な咬合関係を得た所で冷却し、人工歯全体が硬質な材質に変化して安定した咬合関係を得る前歯の人工歯。
【請求項６３】
前歯の人工歯を形成する断面が基本的には、咀嚼面である歯冠部と、義歯床の歯槽部に固着する結合部との間に、加熱温度が３７℃から１２５℃の範囲内の任意の温度で軟化して、可塑性を有し放熱すると硬化する熱可塑性緩衝材と、歪みを吸収したままの少なくとも一つ以上のバネを設けて、前記バネの上端が前記歯冠部内面と固着し、前記バネの下端が前記結合部内面と固着するバネとを設けたことを特徴とする前歯の人工歯。
【請求項６４】
臼歯の人工歯を形成する断面が基本的には、咀嚼面である咬合面部と義歯床の歯槽部に固着する結合部との間に、前記咬合面部を上下移動，水平移動，斜方向移動，軸回転移動の少なくとも一つ以上の移動調節を可能とする調節機構部と、加熱温度が３７℃から１２５℃の範囲内の任意の温度で軟化して、放熱すると硬化する熱可塑性緩衝材とを設けたことを特徴とする臼歯の人工歯。
【請求項６５】
前歯の人工歯を形成する断面が基本的には、咀嚼面である歯冠部と義歯床の歯槽部に固着する結合部との間に、前記歯冠部を上下移動，水平移動，斜方向移動，軸回転移動の少なくとも一つ以上の移動調節を可能とする調節機構部と、加熱温度が３７℃から１２５℃の範囲内の任意の温度で軟化して、放熱すると硬化する熱可塑性緩衝材とを設けたことを特徴とする前歯の人工歯。
【請求項６６】
前歯の人工歯を形成する断面が基本的には、歯冠部（１４５０）と結合部（１４５１）との間に、熱可塑性緩衝材（１４５３）とを設けて、前記結合部（１４５１）の内部に正回転と逆回転とを自在に可能な昇降装置（１４５５）と、上昇移動と下降移動を自在に可能なガイドポール本体（１４６０）と常に前記ガイドポール本体（１４６０）を結合部方向に引き寄せる力の働くバネ（１４６１）を前記結合部（１４５１）と前記ガイドポール本体（１４６０）との間に連絡して配置するバネ（１４５５）と、前記歯冠部（１４５０）の辺縁に歯冠外部から正回転と逆回転を調節自在に歯冠部辺縁をしっかりと保持する調節用ボルト頭部（１４５８）が角度調節用ボルト本体（１４５４）と一体となり前記ガイドポール本体（１４６０）と側面に設けたナット部分に前進と後退を可能とする調節用ボルト頭部（１４５８）と角度調節用ボルト本体（１４５４）を設けたことを特徴とする前歯の人工歯。
【請求項６７】
前歯の人工歯のバネの一方の端が歯冠部（１４５０）内面で固着してもう一方の端が結合部（１４５１）の内面で固着して前記歯冠部（１４５０）と前記結合部（１４５１）とを引き寄せていることを特徴とする請求の範囲第６６項記載の前歯の人工歯。
【請求項６８】
臼歯の人工歯を形成する断面が基本的には、咬合面部（１５５０）と結合部（１５５１）との間に、熱可塑性緩衝材（１５５２）と、バネ（１５５５）とを設けて、前記結合部（１５５１）の頬側咬頭下と舌側咬頭下の各々一ヶ所ずつの計二ヶ所に昇降用ボルト（１５５７）を植立し、前記昇降用ボルト（１５５７）に右回転すると上昇し、左回転すると降下し、上端が凸球面を形成する昇降用ナット（１５５６）が前記咬合面部（１５５０）内面の凹球面と運動自在に接し、前記バネ（１５５５）が咬合面部（１５５０）と、結合部（１５５１）とを引き寄せる作用のバネの機能を有し、植立する二本の前記昇降用ナット（１５５６）のほぼ中央に位置するバネ（１５５５）とを設けたことを特徴とする臼歯の人工歯。
【請求項６９】
臼歯の人工歯を形成する断面が基本的には、咬合面部（１５５０）と結合部（１５５１）との間に、熱可塑性緩衝材（１５５２）と、バネ（１５５５）とを設けて、前記結合部（１５５１）の近心頬側咬頭下と遠心頬側咬頭下と近遠心舌側咬頭の中央とに各々一ヶ所ずつの計三ヶ所に昇降用ボルト（１５５７）を植立し、前記昇降用ボルト（１５５７）に右回転すると上昇し、左回転すると降下し、上端が凸球面を形成する昇降用ナット（１５５６）が前記咬合面部（１５５０）内面の凹球面と運動自在に接し、前記バネ（１５５５）が咬合面部（１５５０）と結合部（１５５１）とを引き寄せる作用のバネの機能を有し、植立する三本の前記昇降用ナット（１５５６）のほぼ重心に位置するバネ（１５５５）とを設けたことを特徴とする臼歯の人工歯。
【請求項７０】
人工歯の熱可塑性緩衝材の材質が、熱可塑性合成樹脂，熱可塑性プラスチック，熱可塑性天然樹脂，熱可塑性エラストマー，複合材料，繊維複合材，繊維強化熱可塑性樹脂，熱可塑性の高分子材料の導電性ポリマー，金属粉又はカーボン含有の導電性合成樹脂，高分子自体が導電性を有する導電性合成樹脂，形状記憶合成樹脂，形状記憶合金の少なくとも一つ以上の材質を使用していることを特徴とする請求の範囲第１項，第２項，第３項，第４項，第５項，第６項，第７項，第８項，第９項，第１０項，第１１項，第１２項，第１７項，第３９項，第４０項，第４１項，第４２項，第４５項，第４６項，第４７項，第４８項，第４９項，第５０項，第５１項，第５２項，第５３項，第５４項，第５５項，第５６項，第５７項，第５８項，第５９項，第６０項，第６１項，第６２項，第６３項，第６４項，第６５項，第６６項，第６７項，第６８項及び第６９項記載の人工歯。
【発明の詳細な説明】
技術分野
本発明は、人工歯の咬合調節に関する。
背景技術
従来、ＰＣＴ／ＪＰ９８／０３０２１（０６．０７．１９９８）Ｕｊｉ  Ｈｉｄｅｙｏが知られている。
従来の人工歯において下記の問題点があった。
第一に、人工歯の咬合面部分を自在に移動可能な人工歯においては、咬合調節時、咬合面部を上下移動，水平移動，斜方向移動を行う調節機構部が咬合面部と結合部の間に設けて、機械装置にて咬合調節を行い、機械装置が過大な咬合圧を直接受けて、機械装置の周囲の材質は、常に軟質な材質で形成され機械装置の動きを可能にしていた。そのため、人工歯という限られた小さなスペースの中に、複雑な動きを可能とする機構がその設定値を咬合圧や数多い咬合回数にも変化することなく強靱な人工歯を長年の間維持することは難しく、又調節装置の一部が歯冠外表に露出するため不潔域となっていた。又、設定値の変化を防ぐにはロック機構を設けなくてはならないが、それは又、限られたスペースの中では他の機械部分の材質を細くしなければならず、そしてそれは逆に強度を弱めることにもつながっていた。咬合調節可能な従来の人工歯においては、限られたスペースの中で機械部分が複雑で、かつ設定値を安定させることは難しく苛酷な口腔内環境に耐え得ず、変形や破損を生じた。
第二に旧来の硬質な材質のみで形成される人工歯においては、専門的知識を持たない患者が自分の不具合な義歯の咬合調節をすることは出来なかった。
また、自分の義歯の調子の悪い所をヤスリで削る患者はいたとしても手の不自由な高齢の患者や目の見えない患者が容易に自分の義歯を咬合調節することは出来なかった。
第三に、歯科医は咬合調節において咬合紙３０ミクロンの削除には、勘で削るしかなかった。
本発明は、咬合面部分を自在に動かして咬合調節を行う人工歯に関しては、繰り返し咬合調節が可能で、強靱な人工歯であることを目的としている。そして患者が自分の咬合圧を利用して簡単に安定した理想的な咬合関係を得ることを目的としている。又歯科医は早期接触の必要量を明確に何ミクロン低くするということと又今まで出来なかった低い所の咬合関係を何ミクロン高くして安定した咬合を得るために勘に頼らず明確に数字にして調節可能とすることを目的としている。
発明の開示
第一の目的のために、本発明は人工歯の咬合調節時には軟化して咬合面部の動きを自在に可能とするが、咬合面部を自在に動かし咬合調節を終えた時には硬質な材質に変化して、過大な咬合圧を受け止めて、機械装置を保護するとともに、調節値の変化を防ぎ、歯冠表面と機械装置の一部が露出して不潔域になることを防いで、人工歯自体を強靱な人工歯とした。熱を吸収することにより軟化する熱可塑性緩衝材や光を吸収することにより軟化する光可塑性緩衝材を基本的には人工歯の一部に設ける構成とした。従って、一度セットした咬合関係を少しも変化させることなく、又、機械装置を保護するとともに、強靱な人工歯を形成し、不潔域をなくした衛生的な人工歯を得る構成として、安定した咬合を得られる人工歯である。
第二の目的のために、人工歯の一部に熱可塑性緩衝材とエネルギーを吸収して歪みを吸収したままのバネを設けて、咬合調節時患者は義歯を湯の中に入れてから高いと思われる人工歯のロックを解除することにより咬合面は挙上する、患者は自分の咬合力を使い対合歯の圧力により人工歯の咬合面部分は移動調節される、患者は自分の脳で考え得る安定した咬合のところで僅かな時間咬むことで義歯は安定した咬合を得る構成とした。
このことにより、患者は自分で簡単に安定した咬合関係を得ることが出来る。
第三の目的のために、人工歯の咬合調節を一例を挙げて説明するならば、ワンクリック３０ミクロンという任意の設定値を設定可能とした人工歯の構成とした。これにより理論に基づいた科学的な勘にて咬合調節が可能となった。
このことにより、従来不可能だった数ミクロンからの調節で咬合面部を微妙にコントロール出来るようになり安定した咬合関係を得ることが可能になった。
発明を実施するための最良の形態
本発明をより詳細に説述するために、まず、単語の定義を次のように定める。
（１）  バネとは、長さなどの形状が変化することによってエネルギーを蓄積しうる機械要素を意味する。
▲１▼  その種類としては、皿バネ，コイルバネ，ショックアブソーバ，空気バネ，板バネ，竹の子バネ，トーションバー，棒バネ，渦巻きバネ，形状記憶合金，液体バネなどがある。
▲２▼  また、その材質としては、金属や非金属としてのプラスチックなど、また強化繊維を含入したガラス繊維強化プラスチックや炭素繊維強化プラスチックや複合材などがある。
▲３▼  バネの圧縮強さや伸びの強さは予め任意に設定したバネを設ける場合と、バネの圧縮強さと、伸びの強さを任意に調節可能なものを設ける。従って、咬合調節時、個々の患者の咬合圧の違いや顎運動に合わせて調節可能である。
▲４▼  新規に装着する義歯の人工歯のバネの格納状態は、バネは歪みを吸収したまま硬質な人工歯内に格納される。咬合調節時、一例を挙げて説明するならば、熱可塑性緩衝材が軟化した時、バネはそれまで硬質な材質の中で格納されていたが、周囲が軟化したことによりバネはエネルギーを開放してそれがもし押しバネのコイルバネである場合、長さを本来の歪みの無い所へ伸びることになる。押しバネのコイルバネの一方が結合部に固着しもう一方が咬合面部に固着してエネルギーを開放した時に、咬合面部は上方に移動することになる。そこで咬合した場合、対合歯の圧力により再度咬合面部が安定した位置に戻されたところで熱可塑性緩衝材が硬化した時、人工歯は安定な咬合を得た所で咬合調節を終了することになる。
▲５▼  又、バネの機能の中に、ストッパー機能を設けてある。このストッパーとは、例えば、押しバネのコイルバネを例に挙げて説明するとすれば、押しバネのコイルバネは圧縮され格納された状態で伸び範囲１ｍｍさらに圧縮範囲０．５ｍｍ可能な状態の所でストッパーにより固定されて、たとえ周囲の熱可塑性緩衝材が軟化して、運動が自在な状態においてもストッパーがバネをしっかりと保持するものである。この状態に於いて、初めて、歯科医及び患者が任意の人工歯にあるストッパーを除去することによりバネはエネルギーを解放して動き、人工歯は咬合調節自在となる。
このストッパーは、カンヌキ状のものを除去する場合、スイッチ状のものを移動して解放する場合、歯冠部に外力を加えて人工歯内部のストッパーを破壊して解放する場合、などどんな方法でも構わない。一例を挙げるならば、ストッパーを木，金属，合成樹脂などの材質で作り、その材質の一部分を細く形成して、一定以上の任意の外力に対して破断し易くしてストッパーとして使用する。
従って、任意の人工歯のみの咬合調節が可能である。
▲６▼  又、バネは少なくとも一つ以上のバネをバネ単体で使用するか、もしくは構造体の中に格納する。構造体に格納するとは、一例を挙げるならば、シリンダー内部に格納してバネを使用する。そして、熱可塑性緩衝材をシリンダー内部をバネとともに満たし、オリフィス孔（１４０８）を設けてバネの動きを妨げないように軟化した熱可塑性緩衝材が流動性を有し、安定した咬合関係を得る迄シリンダー内部の圧力を調節しながらバネの動きを自在に動くのを助け、咬合調節を終えた時、バネは歪みを吸収しその場所で熱可塑性緩衝材が硬化して、設定値を安定した状態で確保するとともに強度を増す構成とした。
又、前記シリンダー内部に何も入れず真空の場合や空気のみを封入する場合がある。尚、オリフィス孔（１４０８）とは、構造体の一部に穴が空いていて内と外の間の流動体もしくは空気の交通が可能であることをいう。
（２）  熱可塑性緩衝材とは、加熱すると軟化し、冷却すると硬化を可逆的に繰り返す。従って、加熱して軟化した時に力を加えて変形させ力を取り除いてもその形が変わらず、冷却するとそのまま硬化する性質を持つものをいう。熱可塑性緩衝材の軟化点は、３７℃から１２５℃の範囲内で任意に定めて、色々なタイプが作られる。
加熱方法は、
▲１▼  体温超の任意の流体を加温したもので熱を伝達する。例を挙げるならば、湯に入れる。尚、体温とは３６．５℃と定義する。
▲２▼  体温超の任意の温風による加熱。
▲３▼  任意の数の人工歯に適合するヒーターを接触又は非接触にて熱を伝える。
▲４▼  熱可塑性緩衝材の内部に構造体としての発熱体を入れる。例を挙げるならば、ニクロム線のコイルバネなどに通電して、発熱させる。
▲５▼  熱可塑性緩衝材自体が通電性を有し、通電することにより発熱して熱可塑性に変化する方法、例えば合成樹脂に導電剤を含有させて発熱させる方法をとる。電子導電性カーボン或いは金属等を配合する方法やイオン導電性の材料である固体電解質を導電剤とするもの、また、複合電材料。又、高分子自体が電導性を有するものや高電導体を使用して発熱させて加熱する方法がある。
冷却方法は、放熱させる、冷水をスプレーにして吹きかける、冷水に入れる、冷風を送る、そして、体温で硬化していなくてはならない。
材質としては、プラスチック，繊維強化熱可塑性プラスチック，合成樹脂，複合材料，繊維強化複合材料，形状記憶合金，形状記憶合成樹脂，天然樹脂などを含み、人体に無害で丈夫で、歯冠色を呈し、人工歯と一体となるものであればどのようなものでもよい。
（３）  前歯の人工歯の歯冠部とは、義歯床の歯槽部に固着する以外の舌側、唇面近心隣接面、遠心隣接面をいう。実際に移動するのはこの部分である。材質としては、レジン，硬質レジン，陶材，歯科用金属や今後開発される人工歯用材料であればどのようなものでも構わない。
（４）  臼歯の人工歯の咬合面部とは、義歯床の歯槽部に固着する以外の咬合面、頬面、舌面、近心隣接面、遠心隣接面をいう。実際に移動するのはこの部分である。材質としては、レジン，硬質レジン，陶材，歯科用金属や今後開発される人工歯用材料であればどのようなものでも構わない。
（５）  人工歯の結合部とは、義歯床の歯槽部に固着する部分の人工歯結合部分をいう。材質としては、レジン，硬質レジン，陶材，歯科用金属や今後開発される人工歯用材料であればどのようなものでも構わない。現在の処床用材料はレジン系であるため、結合のことを考慮するとレジン，硬質レジンが好適である。
（６）  調節機構部とは、人工歯の歯冠部もしくは咬合面部の移動する機械部分であるが、機械部分の周囲もしくは機械部分の周囲と機械部分の内部は、常に熱可塑性緩衝材と接している。即ち加熱すると軟化、冷却すると硬化を繰り返す。このことによって機械部分は保護され調節自在である。
移動は、上下移動，水平移動，斜方向移動，軸回転移動の少なくとも一つ以上の移動調節が可能である。
材質は、ステンレス，歯科用金属などの金属や金属系複合材料，合成樹脂，プラスチック，複合材，繊維強化プラスチックなどを単体で使用するかもしくは複合させて作られる。即ち、移動調節装置と熱可塑性緩衝材とが組み合わさって調節機構部という。
（７）  光可塑性緩衝材とは、任意の光を吸収することにより硬質な材質が軟化して軟質な材質に変化し、咬合調節を行う。そして任意の時間が経過するかもしくは異なる任意の光を吸収することにより、今度は軟質な材質が硬質な材質に変化するものをいう。
波長は、一例を挙げるならば、可視光線照射器では４００〜５００ｎｍの範囲であるが、どのような光の波長でも構わない。
材質としては、人体に無害で歯冠色を呈し、丈夫なものであればどのようなものでも構わない。光可塑性合成樹脂，光可塑性プラスチック，光可塑性複合材，光可塑性繊維強化材質などを含む。
即ち、光可塑性緩衝材そのものが軟化するものや、緩衝材の中に粒状に発熱体を設けて、光を吸収して発熱し軟化する。そして咬合調節を終えて冷却した時、硬化して咬合調節を終える。
発明の実施の形態を実施例に基づき図面を参照して説明する。
図１は、前歯の人工歯において、歯冠部（１）と結合部（３）との間に、熱可塑性緩衝材（２）とを設けた、この発明にかかる基本となる前歯人工歯の断面を示している。このタイプの人工歯は、例えば咬合調節のために加熱して熱可塑性緩衝材（２）を軟化した時、高い粘度を有し、僅かに膨張する。そのことにより歯冠部が対合歯方向に移動する。対合歯が安定な位置を確保して移動した時、歯冠部（１）は対合歯の咬合圧により安定した位置を確保して、冷却した時、熱可塑性緩衝材は質量要素での歪みを吸収したまま硬質な材質に変化して人工歯を形成する。そして安定した咬合関係を得る。
図２は、熱可塑性緩衝材（１２）とジョイント部（１３）を歯冠部（１０）と結合部（１１）との間に設けた。
ジョイント部（１３）を設けることにより、ジョイント部（１３）での脱着が可能となった。これは咬合圧の大小に対応するために、粘度の異なる熱可塑性緩衝材（１２）が交換可能であること、咬合圧の異なる固体差や歯冠色や歯冠形態に対応が可能となる。
又、軟化点の温度の異なる熱可塑性緩衝材（１２）を変換出来るので同じ義歯に植立する人工歯でも任意の人工歯のみの咬合調節が可能となる。
図３は、熱可塑性緩衝材（５２）と、調節機構部（５３）を歯冠部（５０）と結合部（５１）との間に設けた。
図４は、熱可塑性緩衝材（１０２）と、調節機構部（１０３）と、ジョイント部とを、歯冠部（１００）と結合部との間に設けた。
調節機構部（１０３）は歯冠部（１００）を上下移動，傾斜，回転移動の少なくとも一つ以上の移動を可能とする。調節機構部（１０３）は、移動するための装置と熱可塑性緩衝材とからなる。
図５は、熱可塑性緩衝材（１５２）を歯冠部（１５０）と結合部（１５１）との間に設けた。
図６は、熱可塑性緩衝材（２０２）と、ジョイント部（２０３）を咬合面部（２００）と結合部（２０１）との間に設けた。
図７は、咬合面部（２５０）と結合部（２５１）との間に熱可塑性緩衝材（２５２）と調節機構部（２５３）を設けた。
図８は、咬合面部（３００）と結合部（３０１）との間に熱可塑性緩衝材（３０２）と調節機構部（３０３）とジョイント部を設けた。
図９は、対合歯との咬合において咬合位置が不安定な時に義歯の一部に、脱着式アジャスター本体（３５４）を取り付けて、安定な位置までアジャスター調節リング（３５３）を回転してアジャスターピラー（３５２）の上下移動を行い安定した位置でストッパーとして使用して、咬合の位置を確保可能である。咬合調節を終えた後は、取り外し、脱着可能な人工歯をセットして安定した位置に戻すことが可能である。
図１０は、可撤式アジャスターである。少なくとも一歯以上の上顎対合歯（４００）に上顎ホルダー（４０１）が着脱可能に密着して、少なくとも一歯以上の下顎対合歯（４０２）に下顎ホルダー（４０３）が着脱可能に密着して、上顎ホルダー（４０１）に固着する上顎アジャスターピラー（４０４）と下顎ホルダー（４０３）に固着する下顎アジャスターピラー（４０５）とがアジャスター調節リング（４０６）に調節自在に連動するようになっている。
アジャスター調節リング（４０６）の調節機構は、上下顎を誘導した時にその場所を記憶してロックする機構と、上下顎の咬合関係を上下移動，前後移動，斜方向移動，左右移動の調節を可能にして、安定した咬合になるまで調節可能である。そして上下顎の安定な咬合の位置を確保した所で、他人工歯や天然歯の咬合位置を確保して咬合調節を行う装置である。
図１１は、前歯の人工歯を形成する全体の材質が、日常生活する口腔内温度では硬質な材質を呈するが、熱エネルギーを吸収することにより、硬質な材質が、軟質な材質に変化して、質量要素での弾性変形を可能にして、自在に咬合調節が可能で、吸収した熱エネルギーが放熱した時もしくは冷却された時咬合調節を終えた所で歪みを吸収し弾性変形したまま、硬質な材質に変化して人工歯を形成する。そして前記の操作が反復して可能である。ここで言う熱エネルギーとは、高温水に入れて熱を伝導したり、電気ヒーターであれば歯面に接触もしくは、放射して熱を伝導したり、電子線を人工歯の材質に吸収させて軟化させたり、人工歯の材質のなかに光線を吸収することにより熱を発して軟化する。人工歯自体が軟化する熱を吸収した部位が舌側であれば、舌側のみが軟化する。それよりも多い量の熱エネルギーを吸収した時には人工歯全体が軟化する。
図１２は、切端を含む舌面部（５００）が熱可塑性緩衝材で作られたこの発明に係る基本的な考えを表した前歯の人工歯の断面図を示している。
ここで言う熱可塑性緩衝材とは、日常生活での口腔内温度では硬質な材質を呈するが、熱を加えると軟らかく弾性を有して、咬合調節時に、対合歯の咬合圧などにより質量要素での弾性変形を可能として歪みを吸収して咬合調節を終えた時に、放熱もしくは冷却により軟質な材質が硬質な材質に変化して歪みを吸収したまま硬化して咬合調節を行う。
また熱とは、高温の水の中に入れて熱を伝導したり、ヒーターを接触させたり、非接触でヒーターの熱を伝えたり、熱可塑性緩衝材そのものの中に光照射を吸収することにより自らの材質が発熱して軟化するものなど、どんな方法でも構わない。
図１３は、臼歯の人工歯（５５０）全体が、熱エネルギーを吸収した咬合調節時、咬合圧を受けた時、咬合面の解剖学的形態を大きく変化させることなく臼歯の人工歯全体が弾性変形して歪みを吸収し安定した咬合関係を得た所で硬質な材質に変化して、咬合調節を終える臼歯の人工歯である。そして反復して咬合調節が可能である。
図１４は、咬合面部（６００）のみが質量要素での弾性変形が可能で安定した咬合を得た所で歪みを吸収したまま硬化する。微妙な咬合調節を行う時には咬合面部の一部のみに限局して熱エネルギーを送ることで限局して、調節が可能である。
図１５は、前歯の人工歯の断面で結合部（６５１）が、熱エネルギーを吸収することにより軟化して、歯冠部（６５０）が咬合調節して、移動を終えた所で放熱もしくは冷却することにより歪みを吸収したまま硬質な材質に変化して咬合調節を行う。
図１６は、臼歯の人工歯の結合部（７０１）が弾性変形可能で安定した咬合を得た所で歪みを吸収したまま硬化する。
図１７は、人工歯と義歯床の断面を示す。人工歯と義歯床は、人工歯（７５０）の結合部と義歯床の歯槽部（７５１）とで結合している。
義歯床の歯槽部（７５１）の材質が硬質な材質を呈しているが、熱エネルギーを吸収することにより軟化して弾性変形を可能とし歯槽部（７５１）の材質が、人工歯の咬合調節時、対合歯の咬合圧や歯科医師の咬合調節で安定な咬合関係を確保した所で放熱した時もしくは冷却された時、質量要素での弾性変形の歪みを吸収したまま、硬化する義歯用床用材料。
図１８は、義歯床と、咬合調節用熱エネルギー伝達装置の関係図を表している。ヒーター部（８０２）は、義歯の歯槽部（８０１）に適合するものから、人工歯についても少なくとも一歯以上の人工歯に適合するもの、そして一本の人工歯の舌側面のみに対応するもの、舌側面の近心のみに限局して対応するものなど色々作られる。熱エネルギーの量の調節と照射範囲を自在に調節出来る。
図１９は、前歯の人工歯で、咬合調節の部位に通電して、必要な部位のみ軟化して対合歯の咬合圧や接触関係を利用して、咬合調節を終えた所で放熱して冷却して、硬質な材質に変化する。
図２０は、臼歯の人工歯で、咬合調節で高い所につく咬合紙部位に通電して軟化する。そして、咬合させて、咬合が安定した所で放熱して冷却して硬化する。
図２１は、前歯の人工歯の結合部（９５１）のみが通電したことで軟化、咬合調節時歯冠部が安定な咬合になった所で放熱して冷却して、硬化して咬合調節を終える。
図２２は、臼歯の人工歯で、結合部（１００１）に通電することにより発熱して軟化して、咬合調節時咬合面部（１０００）が安定した位置に移動した所で放熱して、結合部（１００１）が歪みを吸収したまま硬質な材質に変化する。
図２３は、前歯の人工歯の調節層（１０５２）を通電して、軟化させて、咬合調節を行い、咬合調節を終えた時に、冷却して硬化させて咬合調節を行う。
図２４は、臼歯の人工歯の調節層（１１０２）が通電して軟化、咬合面部（１１００）を変形させることなく、咬合調節可能である。咬合調節後は冷却して硬化させる。
図２５は、正の接触端子（１１５５）と負の接触端子（１１５２）を調節部位に接触させ通電して加熱して軟化させる咬合調節用通電装置である。
電源（１１５４）は電池，充電式電池，交流を直流に変換して使用し、電圧のコントローラーを搭載する。スイッチ（１１５３）をＯＮにすることにより正の接触端子（１１５５）と負の接触端子（１１５２）に電流が流れる。接触された部位が通電することにより発熱し軟化して、可塑性を有する人工歯もしくは義歯床材料が軟化して咬合調節可能となる。
図２６は、前歯の人工歯の断面である。バネ（１２０６）の下端が結合部（１２００）に固着して、上端が歯冠部（１２０１）に固着する。バネ（１２０６）は歪みを吸収したまま格納されている。プラスの端子（１２０４）とマイナスの端子（１２０５）に通電することによりバネ（１２０６）は発熱し、発熱により熱可塑性緩衝材（１２０３）を軟化して、バネは歪みを開放するために伸びる。すなわち歯冠部（１２０１）はバネ（１２０６）の伸びる方向に移動する。対合歯が咬合し安定な咬合を得た所で歯冠部（１２０１）は移動を終え、熱可塑性緩衝材（１２０３）が硬化して人工歯を形成する。
図２７は、臼歯の人工歯の断面である。このバネ（１２５４）は咬合面部（１２５０）の内面にバネ上端が固着して相対向する結合部（１２５１）内面にバネ下端が固着する。バネの一端にはプラスの端子（１２５５）を設け、もう一端にはマイナスの端子（１２５６）を設け、通電時バネ（１２５４）は発熱するバネとなり熱可塑性緩衝材（１２５３）が軟化した時、バネは歪みを吸収したまま格納されているのでバネ（１２５４）は伸び咬合面部（１２５０）は上昇し、対合歯が安定した位置に来た所で熱可塑性緩衝材（１２５３）を硬化させ人工歯を形成して、咬合調節を終える。
図２８は、臼歯の人工歯で、製作時は咬合調節の範囲で僅かにバネは歪みを吸収したまま作られる。
臼歯の人工歯の熱可塑性緩衝材（１３０３）が熱を吸収して軟化した時、バネ（１３０４）は歪みを解放して咬合面部（１３０１）を上昇させる。咬合調節時、対合歯の咬合圧により咬合面部（１３０１）が沈下移動して咬合調節を終えた所で熱可塑性緩衝材が硬化して、バネとともに歪みを吸収して、咬合調節を終える。
バネ（１３０４）のバネ上端（１３０５）は、咬合面部（１３０１）の内面で固着し、相対向する結合部（１３００）内面にバネ下端（１３０２）が固着して作られる。
図２９は、前歯の人工歯の断面である。結合部（１３５１）の歯冠側内面にガイドポール基底部（１３５５）を運動自在に保持して、結合部とガイドポール基底部（１３５５）との間に熱可塑性緩衝材（１３５２）を介し歪みを吸収したままのバネを配置する。ガイドポール中央部（１３５３）は熱可塑性緩衝材（１３５２）を通過して歯冠部（１３５０）内面でガイドポール先端（１３５４）として歯冠部内面で固着する。咬合調節時、熱可塑性緩衝材（１３５２）を軟化した時、バネ（１３５６）は歪みを開放するためにガイドポール基底部（１３５５）を切端方向へ押す。それにより咬合調節時、歯冠部（１３５０）は対合歯方向に移動し、対合歯の圧力により安定な位置を確保した所で熱可塑性緩衝材（１３５２）が硬化して人工歯を形成する。ガイドポールの材質は、ステンレスを始めとする金属や合成樹脂や繊維強化型の合成樹脂などどのようなものでも良い。
図２９における図は、上顎前歯である。そのためバネ（１３５６）が歪みを解放して動いた時、バネの位置は歯冠部が前突しないように内側即ち舌側に向かいながら上昇しつつ内側に向かう動きをする位置にバネ（１３５６）を配置する。下顎前歯部であれば唇側方向に向かいながら上昇する位置にバネ（１３５６）を配置する。
図３０は、前歯の人工歯の断面である。人工歯の結合部（１４０１）の内部にバネ内蔵ガイドポール基底部（１４０６）が固着する。バネ内蔵ガイドポール（１４０３）にはバネ（１４０７）が歪みを吸収したまま内蔵されている。バネの一端がバネ内蔵ガイドポール基底部（１４０６）内面と接し、もう一端がバネ内蔵ガイドポール（１４０３）内でガイドポール先端部と接している。ガイドポール先端部（１４０４）の一部が歯冠部（１４００）内面で固着する。バネ内蔵ガイドポール（１４０３）にはストッパー（１４０９）を設けて、バネ（１４０７）もしくはガイドポール先端部（１４０４）の一部を解除自在にロックしている。
咬合調節時、熱可塑性緩衝材（１４０２）を軟化、ストッパー（１４０９）を除去し、バネ（１４０７）は歪みを開放するために長さを伸ばす。その時、ガイドポール先端部（１４０４）が移動可能に格納されているため、先端方向へ移動する。その時対合歯の咬合圧により最適な咬合関係を得た所でバネ（１４０７）は圧縮変形して、歪みを吸収したまま、熱可塑性緩衝材（１４０２）が硬化した所で人工歯は形成される。
ストッパー（１４０９）は、熱可塑性緩衝材が軟化した時、カンヌキ状のものを除去するもの、歯冠外部より外力をかけてストッパー（１４０９）そのものが破断する形をとるものなど、どのような方法でも構わない。ストッパー（１４０９）の材質はプラスチック，金属，木，紙などどのようなものでも構わない。
図３１は、前歯の人工歯の断面である。咬合調節時、熱可塑性緩衝材（１４５３）を軟化させ、結合部（１４５１）内にある一例を挙げて示している。昇降装置（１４５５）はボルトを使用しているが、ボルトを右回転することによりボルトは上昇し、ガイドポール末端（１４５９）を上昇させ、一体となるガイドポール先端（１４５２）を上昇させる。この時、結合部（１４５１）の一部に固定するバネ（１４６１）は常に、ガイドポール本体（１４５４）を昇降装置（１４５５）のある結合部（１４５１）方向へと引っ張っている。ガイドポール先端（１４５２）は常に歯冠部（１４５０）の切端直下の内面と運動自在に接している。
歯冠部（１４５０）の頬側もしくは舌側の歯頸側に位置する所に、調節用ボルト頭部（１４５８）が回転調節自在に保持されて歯軸におよそ直角に、角度調節用ボルト本体（１４５４）がガイドポール本体（１４６０）に切り込まれたナットのなかに自在に固定されて移動可能に形成されている。
この調節用ボルト頭部（１４５８）を右回転させていくと、ボルトが中に入り、調節用ボルト頭部（１４５８）のある歯冠部（１４５０）の辺縁が歯軸に近付きガイドポール先端（１４５２）を支点として歯冠部は傾斜して、切端の位置を変えることが可能である。これにより、上昇と傾斜が可能となる。
図３２は、大臼歯の断面を示している。大臼歯の場合、昇降用ボルト（１５５７）は咬頭直下の三点に配置して、その三点の中央に咬合面部保持部（１５５３）と結合部保持部（１５５８）をバネの力を利用して結合棒にて引き合っている。咬合調節時、熱可塑性緩衝材（１５５２）を軟化し側面から昇降用ナット（１５５６）を右回転することにより咬合面部（１５５０）は上昇し、昇降用ナット（１５５６）を左回転することにより咬合面部（１５５０）は降下する。
この操作を三点で行い咬合調節を自在に行い終了した時に、熱可塑性緩衝材（１５５２）を冷却して硬化させて咬合調節を終える。
咬合面部（１５５０）の材質はレジン，硬質レジン，金属，ポーセレン，新素材などで、結合部（１５５１）の材質はどのようなものでも良いが、床用レジンとの結合を考慮するとレジンが好適である。昇降用ナット（１５５６）及び昇降用ボルトの材質はステンレス，チタンを始めとする金属，合成樹脂などどのようなものでも良い。
また、上顎小臼歯などでは、頬側咬頭直下と舌側咬頭直下の二ヶ所に昇降用ボルトと昇降用ナットを配置して結合棒はその中央に配置する。
三点とは、上顎大臼歯人工歯では、近心頬側咬頭，遠心頬側咬頭，舌側咬頭の三咬頭の直下を意味し、下顎大臼歯人工歯では、近心頬側咬頭，頬側遠心咬頭，近心舌側咬頭もしくは近遠心舌側咬頭の中間点を意味する。二点とは、上顎小臼歯では、頬側咬頭と舌側咬頭の咬頭直下を意味する。
図３３は、大臼歯人工歯に用いる調節装置を上方より見た横断面図である。使用時には、熱可塑性緩衝材により守られ、全てを固定して強靱な人工歯の一部となる。
外形（１６００）は、結合部内部に入る。下顎大臼歯を例に挙げるならば、昇降用ナット（１６０４）が近心頬側咬頭頂下、昇降用ナット（１６０３）が遠心頬側の咬頭頂下、昇降用ナット（１６０１）が謹慎舌側咬頭と遠心舌側咬頭の中間に位置する。
材質は、金属としてのステンレス，チタン、歯科用金属ではパラジウム合金，金，白金加金、合成樹脂としてはプラスチック，繊維強化型の樹脂を含む。
図３４は、人工歯の昇降用ナット（１６５１）である。Ｒ１．５（１６５０）は、咬合面部内面と接する球面である。
昇降用ナットの横断面の昇降用ボルト（１６５４）を中心にミゾ（１６５６）をワンクリックで３０ミクロンの調節が可能としてある。尚、ワンクリックの範囲は人工歯のタイプにより任意に設定する。
図３５は、大臼歯の人工歯の咬合面を傾斜させた所の図である。
図３６は、咬合面の平行上昇の一例である。板バネ（１７５６）を使用して咬合調節時、咬合面部内面（１７５３）をしっかりと結合部方向へ引っ張りながら人工歯を形成する。
図３７は、人工歯のバネを圧縮コイルバネ（１８１２）を使用した例である。
図３８は、人工歯のバネを引張コイルバネ（１８５８）を使用した例である。
本発明は、以上説明の構成となるので、下記の効果を得る。
義歯を湯に入れて暫くしてから口腔内に戻し丁度良いところで噛んでいると安定した咬合関係で人工歯が形成される。一歯以上の人工歯の咬合調節には光照射や熱エネルギー伝達装置により限局した人工歯の調節を簡単に調節出来る。
人工歯が磨耗したら新しい人工歯に簡単に交換出来る。
義歯の位置や高さを自在に調節しながら咬合調節できる。
熱可塑性緩衝材が咬合調節を終えた人工歯の昇降装置などの咬合調節の設定値を変化させることなく固定して、さらに昇降装置を外力から守り、また人工歯自体の強度を増し、良質な人工歯を提供する。
産業上の利用可能性
本発明の人工歯は、咬合調節に有用である。
【図面の簡単な説明】
第１図は、前歯の人工歯の縦断面図である。
第２図は、前歯の人工歯の縦断面図である。
第３図は、前歯の人工歯の縦断面図である。
第４図は、前歯の人工歯の縦断面図である。
第５図は、臼歯の人工歯の縦断面図である。
第６図は、臼歯の人工歯の縦断面図である。
第７図は、臼歯の人工歯の縦断面図である。
第８図は、臼歯の人工歯の縦断面図である。
第９図は、臼歯の人工歯の脱着式アジャスター本体の縦断面図である。
第１０図は、人工歯の可撤式アジャスターの縦断面図である。
第１１図は、前歯の人工歯の縦断面図である。
第１２図は、前歯の人工歯の縦断面図である。
第１３図は、臼歯の人工歯の縦断面図である。
第１４図は、臼歯の人工歯の縦断面図である。
第１５図は、前歯の人工歯の縦断面図である。
第１６図は、臼歯の人工歯の縦断面図である。
第１７図は、義歯床の歯槽部に植立する人工歯の縦断面図である。
第１８図は、人工歯と、咬合調節用熱エネルギー伝達装置である。
第１９図は、前歯の人工歯の縦断面図である。
第２０図は、臼歯の人工歯の縦断面図である。
第２１図は、前歯の人工歯の縦断面図である。
第２２図は、臼歯の人工歯の縦断面図である。
第２３図は、前歯の人工歯の縦断面図である。
第２４図は、臼歯の人工歯の縦断面図である。
第２５図は、咬合調節用通電装置の簡略図である。
第２６図は、前歯の人工歯の縦断面図である。
第２７図は、臼歯の人工歯の縦断面図である。
第２８図は、臼歯の人工歯の縦断面図である。
第２９図は、前歯の人工歯の縦断面図である。
第３０図は、前歯の人工歯の縦断面図である。
第３１図は、前歯の人工歯の縦断面図である。
第３２図は、臼歯の人工歯の縦断面図である。
第３３図は、臼歯の人工歯の横断面図である。
第３４図は、臼歯の人工歯の昇降用ナットの断面図である。
第３５図は、臼歯の人工歯の縦断面図である。
第３６図は、臼歯の人工歯の板バネ方式の縦断面図である。
第３７図は、臼歯の人工歯の圧縮コイルバネ方式の縦断面図である。
第３８図は、臼歯の人工歯の引っ張りコイルバネ方式の縦断面図である。
【図１】
2001047337.tif 000003
【図２】
2001047337.tif 000004
【図３】
2001047337.tif 000005
【図４】
2001047337.tif 000006
【図５】
2001047337.tif 000007
【図６】
2001047337.tif 000008
【図７】
2001047337.tif 000009
【図８】
2001047337.tif 000010
【図９】
2001047337.tif 000011
【図１０】
2001047337.tif 000012
【図１１】
2001047337.tif 000013
【図１２】
2001047337.tif 000014
【図１３】
2001047337.tif 000015
【図１４】
2001047337.tif 000016
【図１５】
2001047337.tif 000017
【図１６】
2001047337.tif 000018
【図１７】
2001047337.tif 000019
【図１８】
2001047337.tif 000020
【図１９】
2001047337.tif 000021
【図２０】
2001047337.tif 000022
【図２１】
2001047337.tif 000023
【図２２】
2001047337.tif 000024
【図２３】
2001047337.tif 000025
【図２４】
2001047337.tif 000026
【図２５】
2001047337.tif 000027
【図２６】
2001047337.tif 000028
【図２７】
2001047337.tif 000029
【図２８】
2001047337.tif 000030
【図２９】
2001047337.tif 000031
【図３０】
2001047337.tif 000032
【図３１】
2001047337.tif 000033
【図３２】
2001047337.tif 000034
【図３３】
2001047337.tif 000035
【図３４】
2001047337.tif 000036
【図３５】
2001047337.tif 000037
【図３６】
2001047337.tif 000038
【図３７】
2001047337.tif 000039
【図３８】
2001047337.tif 000040
【国際調査報告】
2001047337.tif 000041
2001047337.tif 000042
2001047337.tif 000043
2001047337.tif 000044
2001047337.tif 000045
2001047337.tif 000046